(57)【要約】本発明に係る光リセプタクルは、プリント基板に取り付けられかつ光プラグが接続可能である。光リセプタクルは、筒状の本体ハウジング（２）と、ソケットハウジング（３）と、を備え、本体ハウジング（２）は、外周面から突出しプリント基板に係止する弾性係止部を有し、ソケットハウジング（３）は、外周面から突出しプリント基板に係止する係止すり割ピンを有する。よって、グランドピンが不要になり、また、この光リセプタクルをプリント基板にグランドピンで溶着する必要がないので、プリント基板に容易に取り付けることができる。
2004063785.tif 000002
【特許請求の範囲】
【請求項１】
プリント基板に取り付けられかつ光プラグが接続可能な光リセプタクルであって、
筒状の本体ハウジングと、この本体ハウジングに挿入されて取り付けられるソケットハウジングと、を備え、
前記本体ハウジングは、外周面から突出し前記プリント基板に係止する弾性係止部を有し、
前記ソケットハウジングは、外周面から突出し前記プリント基板に係止する係止すり割ピンを有する光リセプタクル。
【請求項２】
請求項１に記載の光リセプタクルにおいて、
前記本体ハウジングは、前記光プラグが挿入される嵌合開口部を備え、
前記本体ハウジングの内部には、前記嵌合開口部に向かって延びる弾性爪が設けられ、
この弾性爪は、前記嵌合開口部から挿入された前記光プラグに係合することによって、前記光プラグを前記本体ハウジング内に保持する光リセプタクル。
【請求項３】
請求項１または２に記載の光リセプタクルにおいて、
前記プリント基板には、前記本体ハウジングの弾性係止部、および、前記ソケットハウジングの係止すり割ピンが、それぞれ挿入される係止穴が形成される光リセプタクル。
【請求項４】
請求項１から３のいずれかに記載の光リセプタクルにおいて、
前記ソケットハウジングは、光学素子が収容可能であり、導電性フィラーを含有する合成樹脂材料で形成されて、前記光学素子と前記プリント基板とを導通させる光リセプタクル。
【請求項５】
請求項４に記載の光リセプタクルにおいて、
前記導電性フィラーは、カーボンフィラーである光リセプタクル。
【請求項６】
請求項３から５のいずれかに記載の光リセプタクルにおいて、
前記弾性係止部は、第１弾性係止部と第２弾性係止部とを有し、
これら第１弾性係止部および第２弾性係止部は、それぞれ、前記本体ハウジングから突出し直線状に延びる本体と、この本体から突出し前記プリント基板の係止穴に係止される係止部と、を備え、
前記係止部は、互いに対向して配置されている光リセプタクル。
【請求項７】
請求項３から５のいずれかに記載の光リセプタクルにおいて、
前記弾性係止部は、第１弾性係止部と第２弾性係止部とを有し、
これら第１弾性係止部および第２弾性係止部は、それぞれ、前記本体ハウジングから突出し直線状に延びる本体と、この本体から突出し前記プリント基板の係止穴に係止される係止部と、を備え、
前記係止部は、互いに反対側を向いて配置されている光リセプタクル。
【請求項８】
請求項５または６に記載の光リセプタクルにおいて、
前記弾性係止部は、複数であり、前記複数の第１弾性係止部が並ぶ方向と、前記複数の第２弾性係止部が並ぶ方向とは、平行である光リセプタクル。
【発明の詳細な説明】
【技術分野】  本発明は、プリント基板に取り付けられかつ光プラグが接続可能な光リセプタクルに関し、例えば、光学素子を内蔵し、光ファイバの先端に取り付けられた光プラグが接続されることにより、光ファイバと光学素子とを接続する光リセプタクルに関する。
【背景技術】  従来より、信号を高速かつ低コストで伝送するため、プラスチック光ファイバ（Ｐｌａｓｔｉｃ  Ｏｐｔｉｃａｌ  Ｆｉｂｅｒ、以下ＰＯＦという）が用いられている。このＰＯＦに対応した光コネクタとして、スモールマルチメディアインターフェース（Ｓｍａｌｌ  Ｍｕｌｔｉｍｅｄｉａ  Ｉｎｔｅｒｆａｃｅ、以下ＳＭＩという）型光コネクタがある。このようなＳＭＩ型光コネクタは、テレビやＤＶＤ（Ｄｉｇｉｔａｌ  Ｖｅｒｓａｔｉｌｅ  Ｄｉｓｃ）等のディジタル家電製品に利用され、標準化が推進されている。
ＳＭＩ型の光コネクタは、例えば、光プラグと、この光プラグが取り付けられる光リセプタクルと、を備えている。この光コネクタは、取り扱い性を向上させるため、小型でかつ光プラグと光リセプタクルとを確実にロックするプッシュプル締結構造である。
前述の光リセプタクルは、例えば、光学素子が内蔵されたインナーハウジングと、光プラグを係止するアウターハウジングとの２ピース構造である（例えば、特開２０００−３４７０７３号公報）。
具体的には、アウターハウジングは、箱状であり、光プラグが挿入される嵌合端を有している。アウターハウジング内部には、弾性係合片が嵌合端方向に向かって設けられている。光プラグをアウターハウジングの嵌合端に挿入し、弾性係合片に係合させることにより、光プラグは、アウターハウジングに固定される。
一方、インナーハウジングは、光学素子が収容される光学素子受入空洞を有している。ここで、光学素子は、送信側と受信側とが分離された２心構造である。光学素子をインナーハウジングの光学素子受入空洞に挿入した後、このインナーハウジングを、アウターハウジングの内部に形成された結合空洞内に挿入する。すると、アウターハウジングとインナーハウジングとの相対位置は、互いに直交する三方向で規定されて、インナーハウジング内の光学素子は、アウターハウジング内の一定の位置に配置される。
ところで、インナーハウジングは、カーボンフィラーを含有する合成樹脂材料で形成されている。また、インナーハウジングには、アウターハウジングを貫通するグランドピンが植設されている。これらグランドピンは、光リセプタクルの接続体となるプリント基板のグランド回路にハンダ付けされている。
このように、導電性を有するインナーハウジングを、グランドピンを介して、グランド回路に接続することにより、ＥＭＩ（Ｅｌｅｃｔｒｏ  Ｍａｇｎｅｔｉｃ  Ｉｎｔｅｒｆｅｒｅｎｃｅ）つまり、電磁波妨害や、光学素子の静電破壊を防止できる。
ところで、従来の光リセプタクルでは、グランドピンをプリント基板にハンダ付けで固定するため、部品点数が多くなる上に、組立工数が増加していた。したがって、容易にプリント基板に取り付け可能な光リセプタクルが求められていた。
【発明の開示】
本発明は、上述した課題を解決すべく、容易にプリント基板に取り付けられる光リセプタクルを提供することを目的とする。
本発明者は、上記目的を達成するため、以下のような新たな光リセプタクルを発明した。
（１）  プリント基板に取り付けられかつ光プラグが接続可能な光リセプタクルであって、筒状の本体ハウジングと、この本体ハウジングに挿入されて取り付けられるソケットハウジングと、を備え、前記本体ハウジングは、外周面から突出し前記プリント基板に係止する弾性係止部を有し、前記ソケットハウジングは、外周面から突出し前記プリント基板に係止する係止すり割ピンを有する光リセプタクル。
光リセプタクルは、例えば、スモールマルチメディアインターフェース型光プラグに用いられる。
（１）記載の発明によれば、従来のように、光リセプタクルをプリント基板にグランドピンを介して固定した場合と異なり、グランドピンに代えて、本体ハウジングの外周面に弾性係止部を設け、ソケットハウジングの外周面に係止すり割ピンを設けた。
したがって、この光リセプタクルは、本体ハウジングおよびソケットハウジングの２ピースを組み立てた後、プリント基板に取り付けられる。よって、グランドピンが不要になるから、光リセプタクルを簡易な構成にできる。また、この光リセプタクルをプリント基板にグランドピンで溶着する必要がないので、プリント基板に容易に取り付けることができる。
（２）  （１）記載の光リセプタクルにおいて、前記本体ハウジングは、前記光プラグが挿入される嵌合開口部を備え、前記本体ハウジングの内部には、前記嵌合開口部に向かって延びる弾性爪が設けられ、この弾性爪は、前記嵌合開口部から挿入された前記光プラグに係合することによって、前記光プラグを前記本体ハウジング内に保持する光リセプタクル。
（２）記載の発明によれば、光プラグを嵌合開口部に挿入すると、この光プラグに弾性爪が係合するので、光プラグは光リセプタクル内に保持される。よって、光プラグを簡単に光リセプタクルに取り付けることができる。
（３）  （１）または（２）に記載の光リセプタクルにおいて、前記プリント基板には、前記本体ハウジングの弾性係止部、および、前記ソケットハウジングの係止すり割ピンが、それぞれ挿入される係止穴が形成される光リセプタクル。
（３）記載の発明によれば、従来のようにプリント基板に光リセプタクルをグランドピンで溶着することなく、弾性係止部と係止すり割ピンとを係止穴に挿抜するだけで、光リセプタクルをプリント基板に着脱自在に設けることができる。
（４）  （１）から（３）のいずれかに記載の光リセプタクルにおいて、前記ソケットハウジングは、光学素子が収容可能であり、導電性フィラーを含有する合成樹脂材料で形成されて、前記光学素子と前記プリント基板とを導通させる光リセプタクル。
ここで、光学素子としては、発光素子および受光素子が挙げられる。
（４）記載の発明によれば、ソケットハウジングを介して、光学素子をプリント基板に導通させることができるので、光学素子の静電破壊やＥＭＩを防止できる。
（５）  （４）記載の光リセプタクルにおいて、前記導電性フィラーは、カーボンフィラーである光リセプタクル。
（６）  （３）から（５）のいずれかに記載の光リセプタクルにおいて、前記弾性係止部は、第１弾性係止部と第２弾性係止部とを有し、これら第１弾性係止部および第２弾性係止部は、それぞれ、前記本体ハウジングから突出し直線状に延びる本体と、この本体から突出し前記プリント基板の係止穴に係止される係止部と、を備え、前記係止部は、互いに対向して配置されている光リセプタクル。
（６）記載の発明によれば、第１弾性係止部および第２弾性係止部を、それぞれ、プリント基板に形成された係止穴に挿入すると、係止部同士の間隔が拡がり、係止穴の端縁に係止部が押圧されて、本体が弾性変形する。その後、第１弾性係止部および第２弾性係止部が係止穴に完全に挿入されると、本体の弾性復元力により、係止部が係止穴に係止する。よって、本体ハウジングがプリント基板から容易に脱落するのを防止できる。
（７）  （３）から（５）のいずれかに記載の光リセプタクルにおいて、前記弾性係止部は、第１弾性係止部と第２弾性係止部とを有し、これら第１弾性係止部および第２弾性係止部は、それぞれ、前記本体ハウジングから突出し直線状に延びる本体と、この本体から突出し前記プリント基板の係止穴に係止される係止部と、を備え、前記係止部は、互いに反対側を向いて配置されている光リセプタクル。
（７）記載の発明によれば、第１弾性係止部および第２弾性係止部を、それぞれ、プリント基板に形成された係止穴に挿入すると、係止穴の端縁に係止部が押圧されて、係止部同士の間隔が狭まり、本体が弾性変形する。その後、第１弾性係止部および第２弾性係止部が係止穴に完全に挿入されると、本体の弾性復元力により、係止部が係止穴に係止する。よって、本体ハウジングがプリント基板から容易に脱落するのを防止できる。
（８）  （５）または（６）に記載の光リセプタクルにおいて、前記弾性係止部は、複数であり、前記複数の第１弾性係止部が並ぶ方向と、前記複数の第２弾性係止部が並ぶ方向とは、平行である光リセプタクル。
（８）記載の発明によれば、プリント基板に対する光リセプタクルの姿勢をより安定した状態に保持できる。
【図面の簡単な説明】  図１は、本実施形態に係る光リセプタクルの構成を示す分解斜視図である。
図２Ａは、前記実施形態に係る本体ハウジングの正面図である。
図２Ｂは、前記実施形態に係る本体ハウジングの左側面図である。
図２Ｃは、図２ＢのＸ−Ｘ断面図である。
図２Ｄは、前記実施形態に係る本体ハウジングの右側面図である。
図３Ａは、前記実施形態に係るソケットハウジングの正面図である。
図３Ｂは、前記実施形態に係るソケットハウジングの右側面図である。
図３Ｃは、前記実施形態に係るソケットハウジングの底面図である。
図４は、前記実施形態に係る光リセプタクルが取り付けられるプリント基板の平面図である。
図５Ａは、前記実施形態に係る光リセプタクルの平面図である。
図５Ｂは、前記実施形態に係る光リセプタクルの正面図である。
図５Ｃは、前記実施形態に係る光リセプタクルの右側面図である。
図５Ｄは、前記実施形態に係る光リセプタクルの左側面図である。
図６Ａは、図５ＡのＢ−Ｂ断面図である。
図６Ｂは、図５ＡのＡ−Ａ断面図である。
図７Ａは、本発明の第２実施形態に係る光リセプタクルの部分拡大正面図である。
図７Ｂは、前記実施形態に係る光リセプタクルの部分拡大側面図である。
発明を実施するための形態
以下に、本発明の各実施の形態について図面に基づいて説明する。なお、以下の実施形態の説明にあたって、同一構成要件については同一符号を付し、その説明を省略もしくは簡略化する。
〔第１実施形態〕
図１は、本実施形態に係る光リセプタクル１０の構成を示す分解斜視図である。
本実施形態では、光リセプタクル１０は、プリント基板に取り付けられかつＰＯＦ用ＳＭＩ型の光プラグ１が接続される。
光リセプタクル１０は、本体ハウジング２と、この本体ハウジング２に挿入されて取り付けられるソケットハウジング３と、を備えている。
図２Ａは、前記実施形態に係る本体ハウジング２の正面図であり、図２Ｂは、本体ハウジング２の左側面図であり、図２Ｃは、図２ＢのＸ−Ｘ断面図であり、図２Ｄは、本体ハウジング２の右側面図である。
本体ハウジング２は、筒状であり、一端側に光プラグ１が挿入される嵌合開口部２０が形成され、他端側にソケットハウジング３が挿入される結合開口部２３が形成されている。
本体ハウジング２の内部には、嵌合開口部２０側と結合開口部２３側とを仕切る隔壁２４が形成されている。この隔壁２４には、一対の円筒形状の円筒凸部２５が嵌合開口部２０側に向かって突出して形成されている。
一対の円筒凸部２５の内周面は、光導入路２５Ａが形成されており、本体ハウジング２とソケットハウジング３とが組み合された状態では、光導入路２５Ａを通して後述する受発光素子４（図１）が光信号を送受信する。
また、図２Ｃに示すように、隔壁２４には、嵌合開口部２０に向かって延びる弾性爪２１が片持ち梁状に形成されている。この弾性爪２１は、嵌合開口部２０から挿入された光プラグ１に係合することによって、光プラグ１を本体ハウジング２内に保持する。つまり、光プラグ１と光リセプタクル１０とは、プッシュプル締結構造となっている。
また、本体ハウジング２の外周面には、図２Ａおよび図２Ｃに示すように、本体ハウジング２の内部空間のうち結合開口部２３側に貫通する矩形の係止小孔２３Ａ，２３Ｂが形成されている。これら係止小孔２３Ａ，２３Ｂには、後述する一対の係止小突起３５Ａ，３５Ｂ（図３Ｃ）が本体ハウジング２の内側から挿入される。
本体ハウジング２は、図２Ｂおよび図２Ｄに示すように、外周面（底面）から突出し後述するプリント基板５（図４）に係止する複数の弾性係止部２７Ａ，２７Ｂを有している。
弾性係止部２７Ａは、第１弾性係止部２６Ａと第２弾性係止部２６Ｂとで構成されている。弾性係止部２７Ｂは、第１弾性係止部２６Ｃと第２弾性係止部２６Ｄとで構成されている。
複数の第１弾性係止部２６Ａ，２６Ｃが並ぶ方向と、複数の第２弾性係止部２６Ｂ，２６Ｄが並ぶ方向とは、平行になっている。
以上の第１弾性係止部２６Ａ，２６Ｃおよび第２弾性係止部２６Ｂ，２６Ｄは、それぞれ、本体ハウジング２から突出し直線状に延びる本体２６１と、この本体２６１から突出しプリント基板５の後述する角穴５Ａ，５Ｂ（図４）に係止される係止部２６２と、を備えている。第１弾性係止部２６Ａ，２６Ｃの係止部２６２と第２弾性係止部２６Ｂ，２６Ｄの係止部２６２とは、互いに対向して配置されている。
図３Ａは、ソケットハウジング３の正面図であり、図３Ｂは、ソケットハウジング３の右側面図であり、図３Ｃは、ソケットハウジング３の底面図である。
ソケットハウジング３は、光学素子としての受発光素子４を保持している（図１参照）。ここで、受発光素子４は、受光素子（フォトトランジスタ）と発光素子（発光ダイオード）が一体になった光電素子である。
ソケットハウジング３は、導電性フィラー、より具体的には、カーボンフィラーを含有する合成樹脂材料で形成された成形品であり、図３Ａに示すように、上壁３１、下壁３２、右壁３３、および左壁３４で略矩形状に形成された外壁を有している。ソケットハウジング３の外壁は、ソケットハウジング３が本体ハウジング２に挿入されると、本体ハウジング２の結合開口部２３側の内周面に密着する。
右壁３３には、断面三角形状の係止小突起３５Ａが突設されている。同様に、左壁３４には、断面三角形状の係止小突起３５Ｂが突設されている。この係止小突起３５Ａ，３５Ｂによれば、ソケットハウジング３を本体ハウジング２の結合開口部２３に挿入すると、係止小突起３５Ａ，３５Ｂの斜面部分は、本体ハウジング２の内周面を押し拡げる。その後、ソケットハウジング３が本体ハウジング２に完全に収容されると、係止小突起３５Ａ，３５Ｂが係止小孔２３Ａ，２３Ｂに係止されて、結合開口部２３の押し拡げられた内周面は、元の状態に戻り、ソケットハウジング３は本体ハウジング２の内部に保持される。
ソケットハウジング３内には、図３Ａおよび図３Ｃに示すように、一対の素子取り付け溝３６が形成されている。本体ハウジング２にソケットハウジング３が取り付けられる前に、素子取り付け溝３６には、２つの受発光素子４が接着剤で固定される。
ソケットハウジング３は、外周面（底面）から突出し後述するプリント基板５の丸穴５Ｅ（図４）に係止する係止すり割ピン３７を有している。
図４は、光リセプタクル１０が取り付けられるプリント基板５の平面図である。
プリント基板５には、第１弾性係止部２６Ａ，２６Ｂが係止される係止穴として角穴５Ａ，５Ｂと、第２弾性係止部２６Ｃ，２６Ｄが係止される係止穴としての角穴５Ｃ，５Ｄと、係止すり割ピン３７が係止される係止穴としての丸穴５Ｅと、受発光素子４のリード端子が実装される端子穴４１と、が形成されている。
丸穴５Ｅおよび端子穴４１は、スルーホールであり、このうち丸穴５Ｅは、内径が係止すり割ピン３７の外径より僅かに小さく、プリント基板５に形成されるグランドパターンに接続している。
角穴５Ａの内縁と角穴５Ｂの内縁（または、角穴５Ｃの内縁と角穴５Ｄの内縁）との間隔をＬ１とし、弾性係止部２６Ａの内縁と弾性係止部２６Ｂの内縁（または、弾性係止部２６Ｃの内縁と弾性係止部２６Ｄの内縁）との間隔をＬ３とすると（図２Ｂ参照）、Ｌ１＞Ｌ３である。
角穴５Ａの外縁と角穴５Ｂの外縁（または、角穴５Ｃの外縁と角穴５Ｄの外縁）との間隔をＬ２とし、弾性係止部２６Ａの外縁と弾性係止部２６Ｂの外縁（または、弾性係止部２６Ｃの外縁と弾性係止部２６Ｄの外縁）との間隔をＬ４とすると（図２Ｂ参照）、Ｌ２＞Ｌ４である。
次に、本発明に係る光リセプタクルを組み立てる手順を、図面に基づいて説明する。
図５Ａは、光リセプタクル１０の平面図である。図５Ｂは、光リセプタクル１０の正面図、図５Ｃは、光リセプタクル１０の右側面図、図５Ｄは、光リセプタクル１０の左側面図である。
また、図６Ａは、図５ＡのＢ−Ｂ断面図であり、図６Ｂは、図５ＡのＡ−Ａ断面図である。
まず、図６Ａおよび図６Ｂに示すように、受発光素子４をソケットハウジング３に取り付けて、このソケットハウジング３を本体ハウジング２に挿入して、光リセプタクル１０を組み立てる。
続いて、この光リセプタクル１０を、プリント基板５に取り付ける。具体的には、弾性係止部２６Ａ〜２６Ｄを角穴５Ａ〜５Ｄに挿入する。すると、角穴５Ａ〜５Ｄの端縁に弾性係止部２６Ａ〜２６Ｄの係止部が押圧されて、係止部同士の間隔が拡がり、弾性係止部２６Ａ〜２６Ｄの本体が弾性変形する。その後、弾性係止部２６Ａ〜２６Ｄが角穴５Ａ〜５Ｄに完全に挿入されると、本体の弾性復元力により、係止部が角穴５Ａ〜５Ｄに係止する。よって、本体ハウジング２がプリント基板５から容易に脱落するのを防止できる。
同時に、係止すり割ピン３７を丸穴５Ｅに挿入する。すると、係止すり割ピン３７は、丸穴５Ｅの端縁に押圧されて弾性変形し、外径が小さくなる。その後、係止すり割ピン３７が丸穴５Ｅに完全に挿入されると、係止すり割ピン３７は、弾性復元力により丸穴５Ｅの端縁を付勢し、丸穴５Ｅとの摩擦力でソケットハウジング３をプリント基板５に保持する。
これにより、ソケットハウジング３の係止すり割ピン３７は、プリント基板５に形成されたグランドパターンに接続されて、受発光素子４とプリント基板５とが導通し、受発光素子４の静電破壊やＥＭＩを防止できる。
〔第２実施形態〕
本実施形態では、光リセプタクル１０の取り付け構造が、第１実施形態と異なる。
図７Ａは、光リセプタクル１０Ａの部分拡大正面図であり、図７Ｂは、光リセプタクル１０Ａの部分拡大側面図である。
本実施形態では、第１弾性係止部２６Ａ，２６Ｃおよび第２弾性係止部２６Ｂ，２６Ｄは、それぞれ、本体と、この本体から突出する係止部と、を備えている。第１弾性係止部２６Ａ，２６Ｃの係止部と第２弾性係止部２６Ｂ，２６Ｄの係止部とは、互いに反対側を向いて配置されている。
すなわち、弾性係止部２６Ａの内縁と弾性係止部２６Ｂの内縁（または、弾性係止部２６Ｃの内縁と弾性係止部２６Ｄの内縁）との間隔をＬ５とすると、Ｌ５＞Ｌ１である。
弾性係止部２６Ａの外縁と弾性係止部２６Ｂの外縁（または、弾性係止部２６Ｃの外縁と弾性係止部２６Ｄの外縁）との間隔をＬ６とすると、Ｌ６＞Ｌ２である。
本実施形態では、この光リセプタクル１０を、プリント基板５に取り付ける際、弾性係止部２６Ａ〜２６Ｄを角穴５Ａ〜５Ｄに挿入する。すると、角穴５Ａ〜５Ｄの端縁に弾性係止部２６Ａ〜２６Ｄの係止部が押圧されて、係止部同士の間隔が狭まり、弾性係止部２６Ａ〜２６Ｄの本体が弾性変形する。その後、弾性係止部２６Ａ〜２６Ｄが角穴５Ａ〜５Ｄに完全に挿入されると、本体の弾性復元力により、係止部が角穴５Ａ〜５Ｄに係止する。よって、本体ハウジング２がプリント基板５から容易に脱落するのを防止できる。
本発明によれば、以下のような効果がある。
従来のように、光リセプタクルをプリント基板にグランドピンを介して固定した場合と異なり、グランドピンに代えて、本体ハウジングの外周面に弾性係止部を設け、ソケットハウジングの外周面に係止すり割ピンを設けた。
したがって、この光リセプタクルは、本体ハウジングおよびソケットハウジングの２ピースを組み立てた後、プリント基板に取り付けられる。よって、グランドピンが不要になるから、光リセプタクルを簡易な構成にできる。また、この光リセプタクルをプリント基板にグランドピンで溶着する必要がないので、プリント基板に容易に取り付けることができる。
【図１】
2004063785.tif 000003
2004063785.tif 000004
2004063785.tif 000005
2004063785.tif 000006
【図４】
2004063785.tif 000007
2004063785.tif 000008
2004063785.tif 000009
2004063785.tif 000010
2004063785.tif 000011
【国際調査報告】
2004063785.tif 000012
2004063785.tif 000013
2004063785.tif 000014
2004063785.tif 000015